(57)【要約】【課題】来場日が限定されていないイベントにおいて、閉会時間前に閉場する場合に、速やかに来場者を退場させるとともに、後日の来場時に、開催中止日に使用したチケットをそのまま使用して、再入場できることを目的とする。【解決手段】開催無効となった日の、記憶部２２の前記入場記録を未入場の状態に変更する、もしくは、入場券４の入場判定の際に、前記入場記録の入場日が、開催無効日と一致した場合に、開催無効日に使用した入場券４が、そのまま後日、入場可能となることを特徴とした。【選択図】図１
2008040976.tif 000002
【特許請求の範囲】
【請求項１】
識別情報が付された入場券により入場可能な会場の入口に配置された識別情報読取装置から送信される入場券の識別情報を受信する通信部、
入場可能な入場券の識別情報を登録した入場可能入場券情報、および、入場券の識別情報と当該入場券による入場日とを対応させて登録した入場実績情報を格納する記憶部、
前記通信部を介して前記識別情報読取装置からの入場券の識別情報を受信すると、前記記憶部の入場可能入場券情報を参照して入場の可否を判定し、入場許可と判定した場合に前記受信した入場券の識別情報と入場日とを対応させて前記入場実績情報に登録させるとともに、前記記憶部の入場可能入場券情報に登録されている前記受信した入場券の識別情報を削除または入場不可にする処理部
を備える入退場管理装置において、
前記処理部は、
前記会場でのイベントが取り止めになった無効日が発生すると、前記記憶部の入場実績情報を参照して当該無効日に該当する入場日に入場実績がある入場券の識別情報を得、当該得られた入場券の識別情報を前記記憶部の入場可能入場券情報に登録することまたは入場可能にすることで、再度当該入場券による入場を可能とする処理を行うこと
を特徴とする入退場管理装置。
【請求項２】
識別情報が付された入場券により入場可能な会場の入口に配置された識別情報読取装置から送信される入場券の識別情報を受信する通信部、
入場券の識別情報と当該入場券による入場日とを対応させて登録した入場実績情報を格納する記憶部、
前記通信部を介して前記識別情報読取装置からの入場券の識別情報を受信すると、前記記憶部の入場実績情報を参照して入場実績がある入場券について入場不可とする処理部
を備える入退場管理装置において、
前記処理部は、
前記会場でのイベントが取り止めになった無効日の情報を記憶部に記憶し、
前記通信部を介して前記識別情報読取装置からの入場券の識別情報を受信すると、前記記憶部の無効日の情報を参照し、前記入場券の識別情報が前記無効日に入場実績がある場合は、再度当該入場券による入場を可能とする処理を行うこと
を特徴とする入退場管理装置。
【請求項３】
前記処理部は、
前記無効日を参照する処理を、入場券の入場可否を判定する処理の後に行うことを特徴とする請求項２に記載の入退場管理装置。
【請求項４】
識別情報が付された入場券により入場可能な会場の入口に配置された識別情報読取装置から送信される入場券の識別情報を受信する通信部、
入場可能な入場券の識別情報を登録した入場可能入場券情報、および、入場券の識別情報と当該入場券による入場日とを対応させて登録した入場実績情報を格納する記憶部、
前記通信部を介して前記識別情報読取装置からの入場券の識別情報を受信すると、前記記憶部の入場可能入場券情報を参照して入場の可否を判定し、入場許可と判定した場合に前記受信した入場券の識別情報と入場日とを対応させて前記入場実績情報に登録させるとともに、前記記憶部の入場可能入場券情報に登録されている前記受信した入場券の識別情報を削除または入場不可にする処理部
を備える入退場管理装置における入退場管理プログラムであって、
前記処理部は、
前記会場でのイベントが取り止めになった無効日が発生すると、前記記憶部の入場実績情報を参照して当該無効日に該当する入場日に入場実績がある入場券の識別情報を得、当該得られた入場券の識別情報を前記記憶部の入場可能入場券情報に登録することまたは入場可能にすることで、再度当該入場券による入場を可能とする処理を行うこと
をコンピュータに実行させることを特徴とする入退場管理プログラム。
【請求項５】
識別情報が付された入場券により入場可能な会場の入口に配置された識別情報読取装置から送信される入場券の識別情報を受信する通信部、
入場券の識別情報と当該入場券による入場日とを対応させて登録した入場実績情報を格納する記憶部、
前記通信部を介して前記識別情報読取装置からの入場券の識別情報を受信すると、前記記憶部の入場実績情報を参照して入場実績がある入場券について入場不可とする処理部
を備える入退場管理装置における入退場管理プログラムであって、
前記処理部は、
前記会場でのイベントが取り止めになった無効日の情報を記憶部に記憶し、
前記通信部を介して前記識別情報読取装置からの入場券の識別情報を受信すると、前記記憶部の無効日の情報を参照し、前記入場券の識別情報が前記無効日に入場実績がある場合は、再度当該入場券による入場を可能とする処理を行うこと
をコンピュータに実行させることを特徴とする入退場管理プログラム。
【発明の詳細な説明】
【技術分野】
【０００１】
本発明は、来場日が限定されていないイベントで、開催無効となった日の既入場者がその日使用したチケットを用いて、後日入場することを可能とする入退場管理装置、および入退場管理プログラムの技術に関するものである。
【背景技術】
【０００２】
従来の入退場管理システムでは、入場処理の際に、チケット側に使用済みである事を明示する処理を行っている。
一般的には、半券もぎりが多く利用されており、切り離し無効である半券を改札口で切り離し、回収を行っている。
来場者側にも、チケットの半券が残り、その半券は、使用済みであることが判断できるものの、いつ入場したものかはわからない。そのため、台風や、地震や、テロなど緊急の理由で開場時間中に閉場し、開催が無効となった場合、既に入場中の来場者が、後日入場できるようにするため、退場の際に、再入場証を発行して後日での入場ができるような処置をとっている。
【０００３】
近年、人件費などの削減を目的に、このような入退場管理システムを電子化する技術が開示されている。
例えば、共振タグを使用して、一度入場した入場券を無効化して、再入場を不可能にしている入場券と入場券管理システムが提示されている（例えば、特許文献１参照）。
さらに、入場券から入場時刻データを読み取り、既に設定されている予想退場混雑時間帯と混雑待機時間とのデータに基づいて、挿入された入場券による退場の諾否を判別する入退場管理システムが提示されている（例えば、特許文献２参照）。
【特許文献１】特開２００３−１８７２７４号公報
【特許文献２】特開平１１−１６７６５３号公報
【発明の開示】
【発明が解決しようとする課題】
【０００４】
ところで、台風、地震などの自然災害に加えて、最近ではテロなど緊急に閉場する必要がある。このような場合、来場者を一刻も早く会場外へ退避させる必要がある。このとき、従来のように再入場証を出口などで配布していると、再入場証配布要員の準備に時間を要したり、配布場所へ来場者が殺到したりするなど、退避の遅れや再入場証配布場所で新たな事故が発生することなども考えられる。
さらに、再入場証は利用頻度が低いため、偽造防止対応が十分に取られていないケースも見受けられ、偽造券が流通してしまう恐れもある。
特許文献１、および特許文献２では、このような緊急退避の際の対策が、考慮されていないという問題がある。
【０００５】
このような背景に鑑みて本発明がなされたのであり、本発明は、来場日が限定されていないイベントにおいて、イベント開催中に台風や、地震や、テロなど緊急の理由で閉会時間前に閉場しなければならない場合に、来場者に再入場証などを配布するなどの手続きなしに、そのまま退場させることによって、速やかに来場者を退場させることができるとともに、後日の来場時に、開催中止日に使用したチケットをそのまま使用して、再入場できるようにすることを目的とする。
【課題を解決するための手段】
【０００６】
前記課題を解決するため、本発明を完成するに至った。すなわち、本発明の入退場管理装置、および入退場管理プログラムは、開催無効となった日の、記憶部の前記入場記録を未入場の状態に変更する、もしくは、入場券の入場判定の際に、前記入場日が、開催無効日と一致した場合に、開催無効日に使用した入場券が、そのまま後日、入場可能となることを特徴とした。
【発明の効果】
【０００７】
本発明によれば、来場日が限定されていないイベントにおいて、イベント開催中に台風や、地震や、テロなど緊急の理由で閉会時間前に閉場しなければならない場合に、来場者に再入場証などを配布するなどの手続きなしに、そのまま退場させることによって、速やかに来場者を退場させるとともに、後日の来場時に、開催中止日に使用したチケットをそのまま使用して、再入場できるので、来場者、運営者ともに安全で、負担の少ない運営が可能となる。
【発明を実施するための最良の形態】
【０００８】
次に、本発明を実施するための最良の形態（「実施形態」という）について、適宜図面を参照しながら詳細に説明する。
【０００９】
（第１実施形態）
図１は、第１実施形態に係る入退場管理システムの構成図である。
本実施形態では、一例として入場券４に内蔵されているＲＦＩＤタグ４１には、当該ＲＦＩＤタグのシリアル番号（識別情報）を格納させることによって、入場券の１枚１枚が個別に管理されている状況を想定する。
本実施形態では、ＲＯＭ（Read Only Memory）型のＲＦＩＤタグを想定しているが、ＲＡＭ（Random Access Memory）型のＲＦＩＤタグを用いてもよい。ＲＡＭ型を用いた場合、後記する券番号をＲＦＩＤタグのメモリに格納することが可能である。
【００１０】
（システムの構成）
第１実施形態における入退場管理システム１は、以下のような構成を有する。
入退場管理装置２は、入場券４の入退場に関する情報を管理し、処理する。入退場ゲートは、ゲートを通過しようとしている入場券４の入場可否に基づき、入退場ゲートの制御を行う改札装置３（識別情報読取装置）を含んで構成されている。
そして、入退場管理装置２と各改札装置３は、通信回線５を介して接続されている。
入退場ゲートは、複数存在し（入退場ゲートＡ、入退場ゲートＢ、・・・）、それぞれの入退場ゲートに改札装置３（改札装置３Ａ，改札装置３Ｂ、・・・）が備えられている。本実施形態では、１つの入退場ゲートに、１つの改札装置３が設けられているが、１つの入退場ゲートに、複数の改札装置３が設けられてもよい。
【００１１】
さらに、入退場管理装置２は、通信回線５を通じてＷｅｂサーバ６と接続してもよい。
Ｗｅｂサーバ６は、さらに通信回線７を通じて、ＰＣ（Personal Computer）８や、携帯電話９に接続してもよい。このような構成とすることで、ＰＣ８や、携帯電話９から、通信回線７、Ｗｅｂサーバ６、通信回線５を介して、入退場管理装置２にアクセスすることが可能となる。そして、ユーザは、ＰＣ８や、携帯電話９を用いて、入退場管理装置２の記憶部２２に格納されている情報を閲覧することができ、ユーザが所持している入場券４が、使用可能な状態か、使用不可能な状態かを確認することができる。
これは、入場券４が使用済みであるか、未使用であるかの情報を提供するものである。通常は、入場券４に穴あけなどを行う事により、目視で確認できるなどの方法が取られているが、機械のトラブルなどで使用済みであるのに穴が開いてない、などのトラブルを防止するためである。
なお、ここで通信回線５は、ＬＡＮ（Local Area Network）などの内部専用回線を想定しており、通信回線７は、ＷＡＮ（Wide Area Network）などの一般的な回線を想定している。しかし、これに限らず入退場管理装置２をイベント会場外の建物に設置した場合、通信回線５は、ＷＡＮなどの一般的な回線となる。
【００１２】
（入退場管理装置の構成）
入退場管理装置２は、以下のような構成を有する。
処理部２１は、各種の情報を処理する。記憶部２２は、入退場ゲートを通過しようとしている入場券４の入場の可否を判定するために必要な情報を格納する。そして、入退場管理装置２は、ＣＰＵ（Central Processing Unit）２３、ＲＡＭなどからなるメモリ２４、Ｉ／Ｆ（Interface）部２５、通信部２６、およびＩ／Ｏ（Input/Output）部２７を有してなる。なお、記憶部２２は、具体的には、ＨＤ（Hard Disk）やフラッシュメモリなどが適用される。また、本実施形態における記憶部２２は、入退場管理装置２に含まれる形態となっているが、これに限らず、別の装置（例えばデータベース）としてもよい。
【００１３】
入退場管理装置２の処理部２１は、以下のような構成を有する。
無効処理部２１１は、開催無効日に入場した入場券４の情報を、使用状態から未使用状態に更新する。入場判定処理部２１２は、入退場ゲートを通過しようとしている入場券４の入場可否を判定する。改札装置制御部２１３は、入場判定処理部２１２による入場券４の入場可否の判定に基づいて、改札装置３を制御する。タイマ部２１４は、現在の日時を管理する。
【００１４】
処理部２１、および処理部２１を構成する各部２１１〜２１４は、記憶部２２に格納されているプログラムが、メモリ２４に展開され、ＣＰＵ２３によって実行することによって具現化する。
【００１５】
記憶部２２は、以下のような構成を有する。
入場券テーブル２２１（入場可能入場券情報）は、入場券４に関する情報を有する。入場実績テーブル２２２（入場実績情報）は、入場券４の入場に関する情報を有する。運営カレンダ２２３は、イベント会場の運営時間などに関する情報を有する。入場可否テーブル２２４は、入場券４の券種と、時間帯による入場券４の入場の可否に関する情報を有する。
記憶部２２に格納されている各テーブル２２１〜２２４の詳細な説明は、図２〜図５を参照して後記する。
【００１６】
（改札装置の構成）
改札装置３は、以下のような構成を有する。
リーダ３１は、入場券４に内蔵されているＲＦＩＤタグ４１から、シリアル番号などの識別情報を読み取る。処理部３２は、各種の情報を処理し、ゲートの開閉を制御するゲート制御部３２１を有する。さらに、改札装置３は、ＣＰＵ３３、図示しないＲＡＭやＲＯＭなどからなり、改札装置３の識別番号であるゲート番号などを格納するメモリ３４、Ｉ／Ｆ部３５、通信部３６、およびＩ／Ｏ部３７を有してなる。
【００１７】
改札装置３の処理部３２、および処理部３２を構成するゲート制御部３２１は、メモリ３４に格納されたプログラムが、ＣＰＵ３３によって実行することによって具現化する。
【００１８】
来場者はイベント会場出入口である入退場ゲートに設置された改札装置３のリーダ３１に、入場券４を読み取らせることにより、入場券４の情報が通信回線５を介して接続されている入退場管理装置２に送られる。そして、入退場管理装置２は、その入場券４が入場券テーブル２２１より、入場の未済や券種などから現時点で入場可能な入場券４であるか否か、すなわち入場可否を判定する。入場管理装置２は、入場可否の判定結果を改札装置３へ送り、改札装置３は入場可能な入場券４を所有する来場者に対しゲートを開く。
なお、入場券４の識別番号を格納する手段は、ＲＦＩＤタグ４１に限らず、リーダ３１によって、読み取り可能な媒体であればよく、例えばバーコードや、ＱＲ（Quick Response）コードなどを用いてもよい。
【００１９】
（入場券テーブル）
続いて、図１を参照しつつ、図２から図５の各図に沿って入退場管理装置２の記憶部２２に格納されている各テーブル２２１〜２２４について説明する。
図２は、入場券テーブルのデータ構成例を示す図である。
ここで、入場券テーブル２２１は、後記する入場無効処理や、入場判定処理に先立って、管理者が、管理者端末などを介して入力することにより作成される。入場券テーブル２２１には、入退場管理装置２が管理するすべての入場券４に関する情報が、例えばシリアル番号順に格納されている。
入場券テーブル２２１は、入場券４に関する情報がシリアル番号（識別情報）、および券番号（識別情報）と対応する形で格納されている。入場フラグは、対応する入場券４が未使用の場合には「０」となっており、入場券テーブル２２１が新規に登録された時は、「０」が設定されている。
なお、シリアル番号と、券番号とが一致する場合は、入場券テーブルは、シリアル番号、または券番号のどちらか一方の情報があればよい。また、ＲＦＩＤタグ４１がＲＡＭ型の場合は、ＲＦＩＤタグ４１から券番号を入退場管理装置２に送信することが可能なため、入場券テーブル２２１は、シリアル番号を持たないことになる。
ある入場券４で入退場ゲートに入場した場合、該当する入場券４に内蔵されているＲＦＩＤタグのシリアル番号の入場フラグが「０」から「１」に変更される。すなわち、入場フラグが「０」のとき、該当する入場券４は、未使用すなわち入場可能な状態であることを示す。入場フラグが「１」のとき、該当する入場券４は、使用済すなわち入場不可能な状態であることを示す。
【００２０】
券種は、該当する入場券４の種類を示す。券種には、いつでも入場可能な普通入場券のほか、平日は入場できるが、休日や祝日には入場できない平日割引券、入場できる日の制限はないものの、夜間開始時刻以降でないと入場できない夜間割引券などがある。券種によって入場にあたる制約事項が決まり、改札装置３を制御するための重要な情報となっている。
入場券テーブル２２１は、そのほかに、年齢区分などのデータ項目を有してもよい。
【００２１】
そして、入場券テーブル２２１を以下に記載するように使用して、外部の機器から、入場券の使用、未使用の状態を確認することもできる。すなわち、図１のＰＣ８や携帯電話９から、券番号の入力をし、入退場管理サーバは、入力された券番号をキーに、図２の入場券テーブル２２１の入場券フラグが「０」であるか「１」であるかの判断をする。「０」である場合は未使用、「１」である場合は使用済みとし、Ｗｅｂサーバ６を介して、ＰＣ８端末または携帯電話９へその旨を送信することも可能である。
【００２２】
（入場実績テーブル）
図３は、入場実績テーブルのデータ構成例を示す図である。
入場実績テーブル２２２は、入場券４の入場に関する情報がシリアル番号と対応する形で格納されている。入場券４の入場に関する情報には、入場した日時を表す入場日時、入場券４が入場した改札機などの番号が記録されたゲート番号などがあり、シリアル番号をキーとして、図２の入場券テーブル２２１と関連付けられている。
なお、入場実績テーブル２２２のデータは、入場処理が行われた順番に格納されている。
【００２３】
なお、入場実績テーブルにおける入場日時は、「月日」４桁＋「時分」４桁の８桁で表現し、数値先頭の０はゼロサプレスしている。
例えば、１０月１２日、２１時３０分の場合は、「１０１２２１３０」となり、７月１３日、２１時３０分の場合は、「７１３２１３０」となる。
【００２４】
（運営カレンダ）
図４は、運営カレンダのデータ構成例を示す図である。
運営カレンダ２２３は、該当する日に関するイベントの運営の情報を有している。
運営カレンダ２２３には、月日、および曜日に対応する形で、平日／休日の別、該当する月日において夜間入場扱いとなる時間である夜間開始時刻が格納されている。
【００２５】
（入場可否テーブル）
図５は、入場可否テーブルのデータ構成例を示す図である。
入場可否テーブル２２４は、入場券４の券種毎に、入場できるか否かを示すデータが格納されているテーブルである。券種ごとに、平日の昼間、平日の夜間、休日の昼間、および休日の夜間の入場可、入場不可が設定されている。入場可否テーブル２２４は、前記した運営カレンダ２２３と組み合わせて利用する。
【００２６】
次に、図１から図３を参照しつつ、図６を参照して第１実施形態に係る入場無効処理の流れを説明する。
図６は、第１実施形態に係る入場無効処理の流れを示すフローチャートである。
この処理は、開催中止が決定した時から、次の開催日の開場時間までの間に、バッチ処理で実行するものである。
まず、入退場管理装置２のＩ／Ｏ部２７を介して、無効処理を行いたい日付（開催無効日）が、処理部２１に入力される（Ｓ１０１）。
そして、以下のステップＳ１０２からステップＳ１０４は、処理部２１が、入場実績テーブル２２２を頭から順にレコードごとに処理していき、入場実績テーブル２２２の最後のデータまで、繰り返す。
無効処理部２１１が、記憶部２２の入場実績テーブル２２２の入場日時の入場日が、入力された開催無効日であるか否かの判定を行う（Ｓ１０２）。
判定の結果、入場日が、開催無効日ではない場合（Ｓ１０２→Ｎｏ）、処理部２１は、次のレコードを検索する。
判定の結果、入場日が、開催無効日である場合（Ｓ１０２→Ｙｅｓ）、無効処理部２１１が、該当する入場実績テーブル２２２のレコードから、シリアル番号を取得する（Ｓ１０３）。
そして、無効処理部２１１が、取得したシリアル番号をキーに、記憶部２２の入場券テーブル２２１を検索し、該当する入場券テーブル２２１のレコードの入場フラグを「１」から「０」に更新する（Ｓ１０４）。
【００２７】
次に、図２および図３に沿って、図６の入場無効処理の具体例を説明する。
今回は、７月１３日が開催無効になったとして、処理の説明を行う。
まず、開催無効日である７月１３日が、入退場管理装置２のＩ／Ｏ部２７を介して、処理部２１へ入力される（Ｓ１０１）。
図３の例では、入場実績テーブル２２２の入場日時において、７月１３日のデータは、先頭３桁が「７１３」となっている。また、入場実績テーブル２２２は、前記したように、入場処理の順にデータが登録されているため、同じ日のデータは、連続して登録されている。従って、無効処理部２１１は、入場実績テーブル２２２の入場日時が、データの先頭３桁を検索して、入力された開催無効日であるか否かの判定を行う（Ｓ１０２）。
図３の例では、７月１３日に入場したシリアル番号は、「１０１７４」から始まり、「００００２」まで存在している。
この中で、「００００２」の例で説明すると、「００００２」の入場日時は「７１３１２４３」であるため、無効処理部２１１により開催無効日に該当すると判定される。
従って、図２に示すように、入場券テーブル２２１のシリアル番号が「００００２」（券番号「１００００２」）の入場フラグが、無効処理部２１１によって、使用済を表す「１」から未使用を表す「０」に更新される（Ｓ１０４）。
【００２８】
これにより、入場券テーブル２２１におけるシリアル番号「００００２」の入場券４の入場フラグは、未使用状態を示す「０」になるため、次回入場時には、未使用と判定され、再入場可能となる。
【００２９】
このように、各入場券４に対する入場の情報は、入退場管理装置２で一括して管理されている。
【００３０】
（入退場判定処理）
次に、図１から図５を参照しつつ、図７に沿って入場判定処理の流れを説明する。
図７は、第１実施形態に係る入場判定処理の流れを示すフローチャートである。
なお、図７のフローチャートに示す処理は、入場者が入退場ゲートを通る際に行われる処理である。
まず、入退場管理装置２の電源が、ＯＮになると、入場判定処理部２１２が、現在の日付をタイマ部２１４から取得し、記憶部２２の運営カレンダ２２３を参照して、当該日付の平日／休日の別、夜間開始時刻などのデータを取得する（Ｓ２０１）。
以下のステップＳ２０２からステップＳ２１２の処理は、閉場時刻まで、入退場管理装置２が繰り返す処理である。
次に、入場者が、入場券４をリーダ３１にかざすと、入場券４に設けられているＲＦＩＤタグ４１に格納されているシリアル番号が、改札装置３のリーダ３１によって読み取られる（Ｓ２０２）。続いて、リーダ３１は、改札装置３の通信部３６へ、読み取ったシリアル番号を送る。そして、改札装置３の通信部３６は、通信回線５を介して入退場管理装置２へ、送られたシリアル番号と、メモリ３４に格納してあるゲート番号とを送信する（Ｓ２０３）。
入場判定処理部２１２は、受信したシリアル番号をキーに、記憶部２２の入場券テーブル２２１を参照して、該当する入場券４の券種を取得する（Ｓ２０４）。
【００３１】
そして、入場判定処理部２１２は、タイマ部２１４から現在の日時を取得し、ステップＳ２０４で取得した券種、ステップＳ２０１で取得した平日／休日の別、および夜間開始時刻を基に、記憶部２２の入場可否テーブル２２４を参照して、現在の日時において、取得した券種の入場券４が入場可能か否かを判定する（Ｓ２０５）。
判定の結果、入場可能ではない場合（Ｓ２０５→入場不可）、ステップＳ２０７の「入場拒否」へ処理を進める。この処理によって、例えば、平日割引券で、休日に入場しようとしたり、夜間割引券で夜間開始時刻以前に入場したりすると、改札機のゲートが閉じ、入場できないようになっている。
判定の結果、入場可能の場合（Ｓ２０５→入場可）、入場判定処理部２１２は、ステップＳ２０３で送信されたシリアル番号を基に、記憶部２２の入場券テーブル２２１の入場フラグを参照して、当該入場券４が未使用か否かを判定する（Ｓ２０６）。すなわち、入場フラグが「０」であれば、入場判定処理部２１２は、当該入場券４は未使用であると判定する。入場フラグが「１」であれば、入場判定処理部２１２は、当該入場券４が使用済みであると判定する。
【００３２】
ステップＳ２０６の判定の結果、当該入場券４が、未使用ではない場合（Ｓ２０６→使用済）、入場処理判定部は、当該入場券４に対し入場拒否の判定をする（Ｓ２０７）。そして、改札装置制御部２１３は、入退場ゲートを閉める指示を、ステップＳ２０３で送信されたゲート番号を基に、通信回線５を介して該当する改札装置３に送信する（Ｓ２０８）。そして、指示を受信した改札装置３のゲート制御部３２１が、入退場ゲートを閉める（閉門）などの処理を行う（Ｓ２０９）。このとき、処理部３２が、アラームなどの警報を発してもよい。
ステップＳ２０６の判定の結果、当該入場券４が、未使用である場合（Ｓ２０６→未使用）、入場処理判定部は、当該入場券４に対し、入場を許可する（Ｓ２１０）。そして、処理部２１は、ステップＳ２０３で取得したシリアル番号をキーとして、記憶部２２の入場券テーブル２２１を検索し、このシリアル番号に該当する入場フラグを「０」から「１」に更新する。
そして、入退場管理装置２は、ステップＳ２０３で送信されたゲート番号を基に、該当する改札装置３へ入場許可の指示を送信する（Ｓ２１１）。
そして、入退場管理装置２は、ステップＳ２０５でタイマ部２１４から取得した入場日時、ステップＳ２０４で送信されたゲート番号、シリアル番号を記憶部２２の入場実績テーブル２２２に格納する（Ｓ２１２）。
【００３３】
なお、本実施形態では、処理部２１が、ステップＳ２１０において入場券テーブル２２１の入場フラグを「０」から「１」に更新することで、該当する入場券４を「使用済」の状態としたが、これに限らず、例えば入場券テーブル２２１から入場フラグのフィールドを削除し、処理部２１が、該当するシリアル番号に相当するレコードを削除することで、該当する入場券４を「使用済」の状態としてもよい。
この場合、図６のステップＳ１０４の処理は、入場券テーブル２２１において、該当するシリアル番号のレコードを再登録する処理となる。
また、図７のステップＳ２０６では、処理部２１が、記憶部２２の入場券テーブルを参照して、ステップＳ２０３で取得したシリアル番号が存在するか否かで入場券４が未使用か否かを判定してもよい。この場合、入場券テーブルに該当するシリアル番号が存在する場合は、処理部２１によって「未使用」と判定され、存在しない場合は、処理部２１によって「使用済」と判定される。
【００３４】
次に、図１から図５に沿って、図７の入場判定処理の具体例を説明する。
この例では、開催無効日である７月１３日に入場したシリアル番号「００００２」の入場券４で、７月１７日の１０：３０にゲート番号「１」の改札装置３から再入場したと想定する。
まず、入場判定処理部２１２は、記憶部２２の運営カレンダ２２３を参照して、当日（７月１７日）が「休日」である事と、夜間開始時刻の「１７：００」を取得する（Ｓ２０１）。
入場者が、入退場ゲートより入場しようとすると、リーダ３１が、入場券４に設けられているＲＦＩＤタグ４１から、シリアル番号を読み込み（Ｓ２０２）、リーダ３１から、改札装置３を介して、入場券４のシリアル番号「００００２」、ゲート番号「１」が、入退場管理装置２に送信される（Ｓ２０３）。
入場判定処理部２１２は、送信されたシリアル番号「００００２」をキーに、記憶部２２の入場券テーブル２２１を検索して、券種「普通」を取得する（Ｓ２０４）。
そして、入場判定処理部２１２は、記憶部２２の入場可否テーブル２２４を参照する。図５における入場可否テーブル２２４では、券種「普通」で、休日の昼間（入場判定処理部２１２が、入場時刻「１０：３０」と、夜間開始時刻「１７：００」とを比較することによって、「昼間」と判定する）は、「入場可」となっている（Ｓ２０５→入場可）。
ここで、入場券４の券種が「平日割引」や「夜間割引」だった場合は、休日の昼間は、「入場不可」となっているので（Ｓ２０５→入場不可）、ステップＳ２０７へ進み、当該入場券４は、入場拒否される。
次に、入場判定処理部２１２は、取得しているシリアル番号「００００２」をキーに、入場券テーブル２２１の入場フラグのフィールドを検索すると、シリアル番号「００００２」における入場フラグは、「０」となっている（Ｓ２０６→未使用）。
従って、処理部２１は、ステップＳ２０３で送信された「００００２」をキーに、入場券テーブル２２１のシリアル番号「００００２」の入場フラグを「０」から「１」へ更新する。そして、入退場管理装置２は、改札装置３に対して、入場許可の指示を送信する（Ｓ２１１）と共に、シリアル番号「００００２」、入場日時「７１７１０３０」、入場ゲート「１」などの情報を、記憶部２２の入場実績テーブル２２２に格納する（Ｓ２１２）。
【００３５】
（第１実施形態の効果）
このような方法によれば、来場日が限定されていないイベントにおいて、イベント開催中に台風や、地震や、テロなど緊急の理由で閉会時間前に閉場する場合に、来場者に再入場証などを配布せずに、そのまま退場させることによって、速やかに来場者を退場させるとともに、後日の来場時に、開催中止日に使用したチケットをそのまま使用して、再入場できるので、来場者、運営者ともに安全で、負担の少ない運営が可能となる。
【００３６】
（第２実施形態）
続いて、本発明の第２実施形態について図８〜図１１を参照して説明する。
なお、第２実施形態において、第１実施形態と同様の要素、および処理については、同一の符号を付して、説明を省略する。
【００３７】
（システム構成）
図８は、第２実施形態に係る入退場管理システムの構成図である。
入退場管理システム１ａが、図１に示す第１実施形態の入退場管理システム１と異なる点は、入場券テーブル２２１、および入場実績テーブル２２２の代わりに、入退場管理装置２ａの記憶部２２ａに入場情報テーブル２２５（入場実績情報）と、開催無効テーブル２２６とが格納されている点である。入場情報テーブル２２５は、図９を参照して後記し、開催無効テーブル２２６は、図１０を参照して後記する。
【００３８】
（入場情報テーブル）
図９は、入場情報テーブルのデータ構成例を示す図である。
入場情報テーブル２２５は、入場券４に関する情報と、入場券４の入場に関する情報とがシリアル番号、および券番号に対応する形で格納されている。すなわち、入場情報テーブル２２５は、図１、図２、および図３に示す第１実施形態の入場券テーブル２２１と、入場実績テーブル２２２とを組み合わせた形である。ただし、入場情報テーブル２２５には、図２に示す入場券テーブル２２１が有している入場フラグが存在していない。シリアル番号、券番号、券種、および年齢区分は、図２に示す入場券テーブル２２１のシリアル番号、券番号、券種、および年齢区分と同様である。
入場日時とゲート番号とは、初期状態において「Ｎｕｌｌ」が設定されている。入場券４がゲートを通過すると、この入場券４がゲートを通過した日時（入場日時）と、通過したゲートのゲート番号が、入場情報テーブル２２５の該当するシリアル番号のレコードに記録される。従って、入場情報テーブル２２５において、ゲートを通過していない入場券４に該当する入場日時と、ゲート番号は、「Ｎｕｌｌ」のままである。
これより、ある入場券４の未使用／使用の判定は、入場日時、またはゲート番号が、「Ｎｕｌｌ」であるか否かで判断できる。
【００３９】
（開催無効テーブル）
図１０は、開催無効テーブルのデータ構成例を示す図である。
開催無効テーブル２２６は、複数の登録ができるようになっており、各レコードの通し番号であるＮｏ．と、開催無効日と、開催無効となった理由などを記載する備考などの項目を持つ。
この情報は、開催中止が決定した時から、次の開催日の開場時間までの間に、システム管理者が、管理端末から登録する事を想定している。
開催無効日のデータ形式は、「月日」４桁で、月の先頭の０はゼロサプレスする。従って、１０月１３日は「１０１３」、７月１３日は「７１３」と表す。
【００４０】
第２実施形態では、シリアル番号を改札装置３から受信したのち、入退場管理装置２ａは、図９の入場情報テーブル２２５から、このシリアル番号をキーに入場日時を抽出し、抽出された入場日時をキーに、当該入場日時が、図１０の開催無効テーブル２２６の開催無効日に一致するか否かを判断する。入退場管理装置２ａは、図９の入場情報テーブル２２５の該当する券番号の入場日時が無かった場合、すなわち該当する券番号の入場日時が「Ｎｕｌｌ」だった場合、未使用であると判定する。また、該当する券番号の入場日時が存在する場合であっても、当該入場日時が開催無効テーブル２２６の開催無効日に一致する場合は、未使用であると判定する。それ以外は、使用済みであると判定するなどして、その旨を改札装置３に送信するとともに、Ｗｅｂサーバ６を介して、ＰＣ８または携帯電話９へ送信してもよい。
【００４１】
（入場判定処理）
次に、図８〜図１０を参照しつつ、図１１を参照して入場判定処理の流れを説明する。
図１１は、第２実施形態に係る入場判定処理の流れを示すフローチャートである。
なお、第２実施形態では、管理者が、入退場管理装置２ａのＩ／Ｏ部２７を介して記憶部２２ａの開催無効テーブル２２６に開催無効の情報を書き込むため、第１実施形態の図６に相当する処理はない。
ステップＳ３０４において、入場情報テーブル２２５から取得した券種を基に、ステップＳ２０５の処理を行った後、入場判定処理部２１２は、ステップＳ２０３で送信されたシリアル番号をキーに、記憶部２２ａの入場情報テーブル２２５の入場日時を検索する。そして、該当するシリアル番号に相当するレコードの入場日時のフィールドに、データか存在するか否かを判定することによって、すなわち「Ｎｕｌｌ」であるか否かを判定することによって、当該入場券４が未使用か否かを判定する（Ｓ３０６）。
ステップＳ３０６の判定の結果、当該入場券４が未使用であった場合（Ｓ３０６→未使用）、入場判定処理部２１２は、ステップＳ３０８へ処理を進める。
【００４２】
ステップＳ３０６の判定の結果、当該入場券４が使用済であった場合（Ｓ３０６→使用済）、入場判定処理部２１２は、該当する入場日時を取得して、ステップＳ３０７へ処理を進める。
次に、入場判定処理部２１２は、記憶部２２ａの開催無効テーブル２２６を参照して、取得した入場日時に一致する開催無効日が存在するか否か、すなわち取得した入場日が開催無効日か否かを判定する（Ｓ３０７）。
ステップＳ３０７の判定の結果、取得した入場日が、開催無効日ではない場合（Ｓ３０７→Ｎｏ）、入場判定処理部２１２は、ステップＳ２０７へ処理を進める。
ステップＳ３０７の判定の結果、取得した入場日が、開催無効日である場合（Ｓ３０７→Ｙｅｓ）、入場判定処理部２１２は、ステップＳ３０８へ処理を進める。
ステップＳ３０８では、入場判定処理部２１２が、ステップＳ２０５で取得した現在の日時、およびステップＳ２０３で送信されたゲート番号を記憶部２２の入場情報テーブル２２５の該当するシリアル番号のレコードに格納することによって、現在の日時とゲート番号とを上書き保存する。
以降の処理は、図７と同様である。
【００４３】
（入場判定処理の具体例）
次に、図８から図１０に沿って、図１１の入場判定処理の具体例を説明する。
なお、ここでの説明は、第１実施形態と同様に、開催無効日である７月１３日に入場したシリアル番号「００００２」の入場券４で、７月１７日のＡＭ１０：３０にゲート番号「１」の改札装置３から入場したと想定する。
ステップＳ２０３で送信されたシリアル番号「００００２」をキーに、入場判定処理部２１２は、記憶部２２ａの入場情報テーブル２２５の券種「普通」を取得する（ステップＳ３０４）。
そして、ステップＳ２０５の処理の後、入場判定処理部２１２は、入場情報テーブル２２５におけるシリアル番号「００００２」の入場日時を参照する。その結果、このフィールドには、「７１３１０１３」というデータが存在するため、入場判定処理部２１２は、該当する入場券４は、「使用済」であると判定して（Ｓ３０６→使用済）、この入場日時「７１３１０１３」を取得して、ステップＳ３０７へ処理を進める。
そして、入場判定処理部２１２は、取得した入場日時「７１３１０１３」のうち、入場日を示す先頭３桁「７１３」と一致する開催無効日があるか否かを、開催無効テーブル２２６を参照することによって判定する。この例では、開催無効テーブル２２６の開催無効日に「７１３」が存在するため、入場判定処理部２１２は、当該入場券４は、開催無効日に入場した入場券４であると判定する（Ｓ３０７→Ｙｅｓ）。
【００４４】
なお、例えば、ステップＳ２０２で取得したシリアル番号が「００００１」であったとすると、入場情報テーブル２２５における該当する入場日時は、「Ｎｕｌｌ」であるため、入場判定処理部２１２は、該当する入場券４は、「未使用」であると判定する（Ｓ３０６→未使用）。
当該入場券４が、開催無効日に入場した入場券４であった場合、ステップＳ２０３で送信されたシリアル番号「００００１」をキーに、ステップＳ２０５でタイマ部２１４から取得した現在の日時「７１７１０１３」を入場日時として、入場情報テーブル２２５の該当するレコードに格納し、さらにステップＳ２０３で送信されたゲート番号「１」を、入場情報テーブル２２５の該当するレコードに格納する（Ｓ３０８）。これにより、シリアル番号「００００１」のレコードにおける入場日時とゲート番号とのフィールドは、「Ｎｕｌｌ」ではなくなる。そのため、これより後に、シリアル番号「００００１」のＲＦＩＤタグ４１を内蔵する入場券を改札装置３に通すと、ステップＳ３０６において、入場判定処理部２１２によって「使用済」の判定がなされる。
【００４５】
（第２実施形態の効果）
図８および図１１に沿って、第２実施形態の効果を説明する。
第２実施形態によれば、第１実施形態の効果に加えて、第１実施形態の図６の入場無効処理を行う必要がないため、入退場管理システム２ａの処理負荷を軽減することが可能となる。
【００４６】
さらに、第２実施形態において図１１のステップＳ３０７の入場日が開催無効日であるか否かの判定を、ステップＳ２０５、ステップＳ３０６、およびステップＳ３０７の一連の入場可否の判定の一番最後に行っている。このような方法によれば、以下のような効果も期待できる。すなわち、図１１において、ステップＳ２０５、およびステップＳ３０６は、開催無効に関する入場可否の判定ではなく、通常の入場可否の判定である。ところで、使用済みの入場券４を改札装置３に通す比率は、全入場者の２％以下という統計がある。従って、これらの処理の後に、開催無効に関する入場可否の判定を行うことによって、改札装置３を通る入場券４の中で、少数しか存在しない再入場可能な入場券４の一連の処理における影響を最小限に抑えることができる。よって、入退場管理システム１ａ全体の負荷を上げずに機能向上できる。
【図面の簡単な説明】
【００４７】
【図１】第１実施形態に係る入退場管理システムの構成図である。
【図２】入場券テーブルのデータ構成例を示す図である。
【図３】入場実績テーブルのデータ構成例を示す図である。
【図４】運営カレンダのデータ構成例を示す図である。
【図５】入場可否テーブルのデータ構成例を示す図である。
【図６】第１実施形態に係る入場無効処理の流れを示すフローチャートである。
【図７】第１実施形態に係る入場判定処理の流れを示すフローチャートである。
【図８】第２実施形態に係る入退場管理システムの構成図である。
【図９】入場情報テーブルのデータ構成例を示す図である
【図１０】開催無効テーブルのデータ構成例を示す図である。
【図１１】第２実施形態に係る入場判定処理の流れを示すフローチャートである。
【符号の説明】
【００４８】
１，１ａ  入退場管理システム
２，２ａ  入退場管理装置
３      改札装置
４      入場券
５，７  通信回線
６      Ｗｅｂサーバ
８      ＰＣ
９      携帯電話
２１    処理部（入退場管理装置）
２２，２２ａ  記憶部（入退場管理装置）
２３    ＣＰＵ（入退場管理装置）
２４    メモリ（入退場管理装置）
２５    Ｉ／Ｆ部（入退場管理装置）
２６    通信部（入退場管理装置）
２７    Ｉ／Ｏ部（入退場管理装置）
３１    リーダ
３２    処理部（改札装置）
３３    ＣＰＵ（改札装置）
３４    メモリ（改札装置）
３５    Ｉ／Ｆ部（改札装置）
３６    通信部（改札装置）
３７    Ｉ／Ｏ部（改札装置）
４１    ＲＦＩＤタグ
２１１  無効処理部
２１２  入場判定処理部
２１３  改札装置制御部
２１４  タイマ部
２２１  入場券テーブル
２２２  入場実績テーブル
２２３  運営カレンダ
２２４  入場可否テーブル
２２５  入場情報テーブル
２２６  開催無効テーブル
３２１  ゲート制御部
【図１】
2008040976.tif 000003
【図２】
2008040976.tif 000004
【図３】
2008040976.tif 000005
【図４】
2008040976.tif 000006
【図５】
2008040976.tif 000007
【図６】
2008040976.tif 000008
【図７】
2008040976.tif 000009
【図８】
2008040976.tif 000010
【図９】
2008040976.tif 000011
【図１０】
2008040976.tif 000012
【図１１】
2008040976.tif 000013